【事件の表示】
　特願２０１２−　１７１７８「光学式センサ」拒絶査定不服審判事件〔平成２５年　８月１５日出願公開、特開２０１３−１５６１６３〕について、次のとおり審決する。
【結　論】
　本件審判の請求は、成り立たない。
【理　由】
第１　手続の経緯
　特許出願：　平成２４年１月３０日
　手続補正：　平成２７年７月２２日（以下、「補正１」という。）  
　拒絶査定：　平成２７年１２月２２日（送達日：平成２８年１月５日）
　拒絶査定不服審判の請求：　平成２８年４月５日 
　手続補正：　平成２８年４月５日 （以下、「本件補正」という。）
  　
第２　補正の却下の決定
　
［結論］
　本件補正を却下する。
　
［理由］
１ 補正の内容
  本件補正によって、特許請求の範囲の請求項１は、以下のように補正された。
　
（補正前）
「光を出射する光源と、
　前記光源から出射された前記光を導光する特性用導光部材と、
　前記特性用導光部材に配設され、前記特性用導光部材の湾曲量に応じて前記光の光学特性を変化させる特性変化部と、
　前記特性変化部によって前記光学特性が変化し、且つ前記特性用導光部材によって導光された前記光を検出する検出部と、
　前記光源と前記特性用導光部材と前記検出部とに光学的に接続する光接続部と、
　を具備し、
　前記光接続部は、
　　前記光源から出射された前記光を前記特性用導光部材に分岐し、前記特性用導光部材によって導光された前記光を前記検出部に分岐する光分岐部と、
　　前記光分岐部を含む導光路が配設されている基板部と
　を有することを特徴とする光学式センサ。」
　
（補正後）
「光を出射する光源と、
　前記光源から出射された前記光を導光する特性用導光部材と、
　前記特性用導光部材に配設され、前記特性用導光部材の湾曲量に応じて前記光の光学特性を変化させる特性変化部と、
　前記特性変化部によって前記光学特性が変化し、且つ前記特性用導光部材によって導光された前記光を検出する検出部と、
　前記光源と前記特性用導光部材と前記検出部とに光学的に接続する光接続部と、
　を具備し、
　前記光接続部は、
　　前記光源から出射された前記光を前記特性用導光部材に分岐し、前記特性用導光部材によって導光された前記光を前記検出部に分岐する光分岐部と、
　　前記光分岐部を含む導光路が
載置
　を有することを特徴とする光学式センサ。」（下線は補正箇所。）
　
　上記補正は、補正後の請求項１において、「光分岐部を含む導光路が配設されている基板部」とされていた構成を、「光分岐部を含む導光路が
載置
　よって、この補正は、特許請求の範囲の減縮を目的とする補正に該当する。
　そこで、本件補正後の請求項１に記載された発明（以下、「本願補正発明」という。）が特許出願の際独立して特許を受けることができるものであるかについて以下に検討する。
　
２　検討　
（１）引用例記載の事項・引用発明
　原査定の拒絶の理由に引用され、本願出願前に日本国内において頒布された刊行物である特開２００８−１９０９１０号公報（以下「引用例」という。）には、「曲がり度合い検出装置およびそれを用いた曲がり度合い検出方法」（【発明の名称】）の発明に関し、次の事項（ａ）ないし（ｃ）が図面と共に記載されている。（下線は当審による。以下同様。）
　
（ａ）
「【００２８】
  図１および図２において、
この光ファイバセンサ１は光ファイバ２のコア３とクラッド４の境界の一部に凹凸面５を形成したものである。
　
（ｂ）
「【００３５】
  βｃに対する曲げ角度αの影響は、中心軸に対して、片側の面ではプラスに作用し、反対側の面ではマイナスに作用するが、本発明では、片側の面のみに凹凸面５が設けられているので、反対側の面は影響を受けない。したがって、αの変化によって、クラッド４から外に放射される光線が増減するので、光ファイバ２のコア３内を通過する光の光量を測定することによって、凹凸面５に垂直な方向（図２ではＹ軸方向）の曲がり度合いを知ることができる。」
　
（ｃ）
「【００３８】
  図７（ａ）（ｂ）は、図１〜図６で示した光ファイバセンサ１を用いた曲がり度合い検出装置の構成を示す断面図であり、特に、図７（ａ）は図７（ｂ）のＶＩＩＡ−ＶＩＩＡ線断面図であり、図７（ｂ）は図７（ａ）のＶＩＩＢ−ＶＩＩＢ線断面図である。
【００３９】
  図７（ａ）（ｂ）において、この曲がり度合い検出装置は、２本の光ファイバセンサ１を備える。２本の光ファイバセンサ１の凹凸面５は、図５で示したように、それぞれＹ軸およびＸ軸に垂直に配置されている。各光ファイバセンサ１の先端面には、光を反射させるための反射膜１０が形成され、
その基端面はＹ分岐型光導波路１１を介して光源部１２と受光部１３に接続されている。
【００４０】
  
光源部１２から出射された光線はＹ分岐型光導波路１１を介して光ファイバセンサ１に入射され、光ファイバセンサ１中を伝播して反射膜１０で反射され、光ファイバセンサ１中を再度伝播し、Ｙ分岐型光導波路１１を介して受光部１３に入射される。
光ファイバセンサ１中を伝播する光のうちの光ファイバセンサ１の曲がり度合いに応じた量の光が、凹凸面５から外部に漏れる。
　　
　引用例に記載の「Ｙ分岐型光導波路１１」によって「光源部１２から出射された光線はＹ分岐型光導波路１１を介して光ファイバセンサ１に入射され、光ファイバセンサ１中を伝播して反射膜１０で反射され、光ファイバセンサ１中を再度伝播し、Ｙ分岐型光導波路１１を介して受光部１３に入射される」のであるから、「Ｙ分岐型光導波路１１」が、光源部１２から出射された光線を光ファイバセンサ１に分岐し、光ファイバセンサ１によって導光された前記光線を受光部１３に分岐する光分岐部を有することは明らかである。そうすると、上記記載（ａ）ないし（ｃ）及び図１及び図７の記載から、引用例には、次の発明が記載されていると認められる。
　
「光線を出射する光源部１２と、
　前記光源部１２から出射された前記光線が入射される光ファイバセンサ１と、
　光ファイバセンサ１の光ファイバ２のコア３とクラッド４の境界の一部に形成され、光ファイバセンサ１中を伝播する光のうちの光ファイバセンサ１の曲がり度合いに応じた量の光が外部に漏れる、凹凸面５と、
　光ファイバセンサ１中を伝播した光が入射される受光部１３と、
　光ファイバセンサ１の基端面と光源部１２と受光部１３とを接続するＹ分岐型光導波路１１と、
　を具備し、
　前記Ｙ分岐型光導波路１１は、
　光源部１２から出射された光線を光ファイバセンサ１に分岐し、光ファイバセンサ１によって導光された前記光線を受光部１３に分岐する光分岐部
　を有する曲がり度合い検出装置。」（以下、「引用発明」という。） 
　
（２）対比
　本願補正発明と引用発明とを対比する。 
　まず、引用発明の「光線を出射する光源部１２」は、本願補正発明の「光を出射する光源」に相当し、同様に、引用発明の「前記光源部１２から出射された前記光線が入射される光ファイバセンサ１」は、本願補正発明の「前記光源から出射された前記光を導光する特性用導光部材」に相当する。
　また、本願補正発明の「特性変化部」は、「特性変化部５０は、例えば光を吸収する光吸収部によって形成されている。」（本願明細書の段落【００１６】）とされており、光量を変化させるものを含むことは明らかであるから、引用発明の「光ファイバセンサ１の光ファイバ２のコア３とクラッド４の境界の一部に形成され、光ファイバセンサ１中を伝播する光のうちの光ファイバセンサ１の曲がり度合いに応じた量の光が外部に漏れる、凹凸面５」は、本願補正発明の「前記特性用導光部材に配設され、前記特性用導光部材の湾曲量に応じて前記光の光学特性を変化させる特性変化部」に相当するといえる。
　次に、引用発明の「光ファイバセンサ１中を伝播した光が入射される受光部１３」は、本願補正発明の「前記特性変化部によって前記光学特性が変化し、且つ前記特性用導光部材によって導光された前記光を検出する検出部」に相当するから、引用発明の「光ファイバセンサ１の基端面と光源部１２と受光部１３とを接続するＹ分岐型光導波路１１」は、本願補正発明の「前記光源と前記特性用導光部材と前記検出部とに光学的に接続する光接続部」に相当するといえる。
　そうすると、引用発明において「前記Ｙ分岐型光導波路１１は、光源部１２から出射された光線を光ファイバセンサ１に分岐し、光ファイバセンサ１によって導光された前記光線を受光部１３に分岐する光分岐部を有する」点と、本願補正発明において「前記光接続部は、前記光源から出射された前記光を前記特性用導光部材に分岐し、前記特性用導光部材によって導光された前記光を前記検出部に分岐する光分岐部と、前記光分岐部を含む導光路が載置されている基板部とを有する」点とは、共に「前記光接続部は、前記光源から出射された前記光を前記特性用導光部材に分岐し、前記特性用導光部材によって導光された前記光を前記検出部に分岐する光分岐部を有する」点で共通する。また、引用発明の「曲がり度合い検出装置」は「光源部１２」と「受光部１３」とを用いるものであるから、本願補正発明の「光学式センサ」に相当するといえる。
　してみると、両者の一致点及び相違点は、以下のとおりである。
　                        
（一致点）
「光を出射する光源と、
　前記光源から出射された前記光を導光する特性用導光部材と、
　前記特性用導光部材に配設され、前記特性用導光部材の湾曲量に応じて前記光の光学特性を変化させる特性変化部と、
　前記特性変化部によって前記光学特性が変化し、且つ前記特性用導光部材によって導光された前記光を検出する検出部と、
　前記光源と前記特性用導光部材と前記検出部とに光学的に接続する光接続部と、
　を具備し、
　前記光接続部は、
　　前記光源から出射された前記光を前記特性用導光部材に分岐し、前記特性用導光部材によって導光された前記光を前記検出部に分岐する光分岐部
　を有することを特徴とする光学式センサ。」
　
　（相違点）　
相違点１：本願補正発明の光接続部は、「光分岐部を含む導光路が載置されている基板部」を有するのに対し、引用発明のＹ分岐型光導波路１１がそのような基板部を有するか否かは不明である点。
　　
（３）判断
　例えば、本願出願前に頒布された刊行物である周知例１ないし３には、以下のように記載されている。（下線は当審による。）
ア　特開昭６３−３１１２１３号公報（周知例１）
「第１図は本発明の一実施例の組立斜視図である。同図において、導波路チップ１には光導波路３が形成され、ここでは１入力２出力の光導波路となっている。導波路チップ１と基板２とは直方体であり、基板２は導波路チップ１を載置することが可能な大きさを有する。
基板２には、
導波路チップ１を
載置した状態で
イ　特開２００４−３７７７６号公報（周知例２）
「【００２３】
・・・光導波路を支持基板に載置し、・・・」
ウ　特開２０００−２７５４７２号公報（周知例３）
「【０１６８】そのため、本手段を用いて支持基板２上に光導波路付基板１と光ファイバ４を載置すれば、・・・」
　上記周知例１ないし３の記載からも明らかなように、導光路を基板に載置して支持することは周知技術であり、引用発明のＹ分岐型光導波路１１に該周知技術を採用することは、当業者が容易になし得たものである。またそのことにより、当業者の予想し得ない特段の効果が生じているとも認められない。
　
　したがって、本願補正発明は、引用発明及び周知技術に基づいて当業者が容易に発明をすることができたものであるから、特許法第２９条第２項の規定により特許出願の際独立して特許を受けることができないものである。
　　
３　まとめ
　したがって、本件補正は、特許法第１７条の２第６項において準用する同法第１２６条第７項の規定に違反するので、同法第１５９条第１項の規定において読み替えて準用する同法第５３条第１項の規定により却下すべきものである。
　
　
第３　本願発明について
１　本願発明
　本件補正は前記のとおり却下されたので、本願の請求項１に係る発明は、補正１により補正された特許請求の範囲の請求項１に記載された事項により特定されるとおりのものと認められるところ、その請求項１に係る発明は次のとおりである。
　
「光を出射する光源と、
　前記光源から出射された前記光を導光する特性用導光部材と、
　前記特性用導光部材に配設され、前記特性用導光部材の湾曲量に応じて前記光の光学特性を変化させる特性変化部と、
　前記特性変化部によって前記光学特性が変化し、且つ前記特性用導光部材によって導光された前記光を検出する検出部と、
　前記光源と前記特性用導光部材と前記検出部とに光学的に接続する光接続部と、
　を具備し、
　前記光接続部は、
　　前記光源から出射された前記光を前記特性用導光部材に分岐し、前記特性用導光部材によって導光された前記光を前記検出部に分岐する光分岐部と、
　　前記光分岐部を含む導光路が配設されている基板部と
　を有することを特徴とする光学式センサ。」（以下「本願発明」という。）
　
２　原査定の拒絶の理由
　原査定の拒絶の理由は、本願発明は、その出願前に日本国内において頒布された刊行物である特開２００８−１９０９１０号公報（引用例）に記載された発明に基づいて、当業者が容易に発明をすることができたものであるから、特許法第２９条第２項の規定により特許を受けることができない、というものである。
　
３　判断
　本願発明は、前記「第２　補正の却下の決定」の「１　補正の内容」で検討した本願補正発明から、光分岐部を含む導光路が基板部に「載置されている」とする限定を省いたものである。
　そうすると、本願発明の構成に上記本件補正に係る限定を付加した本願補正発明が、前記「第２　補正の却下の決定」の「２　検討」における「（３）判断」に記載したとおり、引用発明及び周知技術に基づいて当業者が容易に発明をすることができたものであるから、本願発明も同様の理由により、当業者が容易に発明をすることができたものである。
　
４　むすび
　以上のとおり、本願発明は、引用発明及び周知技術に基づいて当業者が容易に発明をすることができたものであるから、特許法第２９条第２項の規定により特許を受けることができない。
　したがって、他の請求項に係る発明について審理するまでもなく、本願は拒絶すべきものである。
　
　よって、結論のとおり審決する。